【手続補正書】
【提出日】平成15年12月4日(2003.12.4)
【手続補正１】
【補正対象書類名】明細書
【補正対象項目名】特許請求の範囲
【補正方法】変更
【補正の内容】
【特許請求の範囲】
【請求項１】
原稿を読み取る画像読取り装置に直接接続されたローカルプリンタと、該画像読取り装置にネットワークを介して接続されたリモートプリンタとの間の出力部数振り分け方法において、
前記ローカルプリンタと前記リモートプリンタに対して同時に印刷ジョブの投入を指示する指示ステップと、
前記投入指示された印刷ジョブの部数を取得する取得ステップと、
前記印刷ジョブの部数が奇数であるときは、前記ローカルプリンタと前記リモートプリンタ共に同数になるように前記印刷ジョブの部数を振り分け、さらに残りの１部を前記ローカルプリンタで出力するように振り分ける振り分けステップと、
前記振り分けられた部数で前記ローカルプリンタ及びリモートプリンタに前記印刷ジョブを投入する投入ステップと
を有することを特徴とする出力部数振り分け方法。
【請求項２】
前記取得された印刷ジョブの部数が１部であるときは、前記印刷ジョブの投入を中止することを特徴とする請求項１記載の出力部数振り分け方法。
【請求項３】
ユーザに警告を発することを特徴とする請求項２記載の出力部数振り分け方法。
【請求項４】
前記投入ステップは、前記画像読取り装置により前記原稿を一枚づつ読み取りながら前記印刷ジョブを投入することを特徴とする請求項１乃至３のいずれか１項に記載の出力部数振り分け方法。
【請求項５】
前記投入ステップは、前記画像読取り装置により前記原稿をすべて読込んだ後で前記印刷ジョブを投入することを特徴とする請求項１乃至３のいずれか１項に記載の出力部数振り分け方法。
【請求項６】
原稿を読み取る画像読取り装置に直接接続されたローカルプリンタと、該画像読取り装置にネットワークを介して接続されたリモートプリンタとの間の出力部数振り分け装置において、
前記ローカルプリンタと前記リモートプリンタに対して同時に印刷ジョブの投入を指示する指示手段と、
前記投入指示された印刷ジョブの部数を取得する取得手段と、
前記印刷ジョブの部数が奇数であるときは、前記ローカルプリンタと前記リモートプリンタ共に同数になるように前記印刷ジョブの部数を振り分け、さらに残りの１部を前記ローカルプリンタで出力するように振り分ける振り分け手段と、
前記振り分けられた部数で前記ローカルプリンタ及びリモートプリンタに前記印刷ジョブを投入する投入手段と
を有することを特徴とする出力部数振り分け装置。
【請求項７】
前記取得された印刷ジョブの部数が１部であるときは、前記印刷ジョブの投入を中止することを特徴とする請求項６記載の出力部数振り分け装置。
【請求項８】
ユーザに警告を発することを特徴とする請求項７記載の出力部数振り分け装置。
【請求項９】
前記投入手段は、前記画像読取り装置により前記原稿を一枚づつ読み取りながら前記印刷ジョブを投入することを特徴とする請求項５乃至７のいずれか１項に記載の出力部数振り分け装置。
【請求項１０】
前記投入手段は、前記画像読取り装置により前記原稿をすべて読込んだ後で前記印刷ジョブを投入することを特徴とする請求項５乃至７のいずれか１項に記載の出力部数振り分け装置。
【請求項１１】
通信媒体を介して他の画像形成装置と画像データを送受信可能な画像形成装置を含む画像形成システムであって、
前記画像形成装置と前記他の画像形成装置を含む複数の画像形成装置を協働させた画像形成処理を実行させる指示を入力する指示入力手段と、
前記複数の画像形成装置により画像形成すべきジョブの出力部数に応じて前記画像形成処理を行うか否か判定する判定手段と、
前記判定手段による判定結果に応じて前記画像形成処理を無効にする制御手段とを有することを特徴とする画像形成システム。
【請求項１２】
前記制御手段により前記処理を無効にすることに応じて、その旨を表示する表示手段を有することを特徴とする請求項１１記載の画像形成システム。
【請求項１３】
前記画像形成処理を無効にするか有効にするかを選択する選択手段を有することを特徴とする請求項１１記載の画像形成システム。
【請求項１４】
通信媒体を介して他の画像形成装置と画像データを送受信可能な画像形成装置を含む画像形成システムの画像形成方法であって、
前記画像形成装置と前記他の画像形成装置を含む複数の画像形成装置を協働させた画像形成処理を実行させる指示を入力する指示入力ステップと、
前記複数の画像形成装置により画像形成すべきジョブの出力部数に応じて前記画像形成処理を行うか否か判定する判定ステップと、
前記判定ステップによる判定結果に応じて前記画像形成処理を無効にする制御ステップと
を有することを特徴とする画像形成システムの画像形成方法。
【請求項１５】
前記制御ステップにより前記処理を無効にすることに応じて、その旨を表示する表示ステップを有することを特徴とする請求項１４記載の画像形成システムの画像形成方法。
【請求項１６】
前記画像形成処理を無効にするか有効にするかを選択する選択ステップを有することを特徴とする請求項１４記載の画像形成システムの画像形成方法。
【請求項１７】
原稿を読み取る画像読取り装置に直接接続されたローカルプリンタと、該画像読取り装置にネットワークを介して接続されたリモートプリンタとの間の出力部数振り分け方法を実行するプログラムを記憶した読み出し可能な記憶媒体であって、前記出力部数振り分け方法は、前記ローカルプリンタと前記リモートプリンタに対して同時に印刷ジョブの投入を指示する指示ステップと、前記投入指示された印刷ジョブの部数を取得する取得ステップと、前記印刷ジョブの部数が奇数であるときは、前記ローカルプリンタと前記リモートプリンタ共に同数になるように前記印刷ジョブの部数を振り分け、さらに残りの１部を前記ローカルプリンタで出力するように振り分ける振り分けステップと、前記振り分けられた部数で前記ローカルプリンタ及びリモートプリンタに前記印刷ジョブを投入する投入ステップとを有することを特徴とする記憶媒体。
【請求項１８】
通信媒体を介して他の画像形成装置と画像データを送受信可能な画像形成装置を含む画像形成システムの画像形成方法を実行するプログラムを記憶した読み出し可能な記憶媒体であって、前記画像形成システムの画像形成方法は、前記画像形成装置と前記他の画像形成装置を含む複数の画像形成装置を協働させた画像形成処理を実行させる指示を入力する指示入力ステップと、前記複数の画像形成装置により画像形成すべきジョブの出力部数に応じて前記画像形成処理を行うか否か判定する判定ステップと、前記判定ステップによる判定結果に応じて前記画像形成処理を無効にする制御ステップとを有することを特徴とする記憶媒体。
【請求項１９】
第１のプリンタ及び第２のプリンタを有する画像形成システムであって、
印刷ジョブの出力動作を前記第１のプリンタ及び前記第２のプリンタの両方で実行させる第１の処理手順と、
印刷ジョブの出力動作を前記第１のプリンタ及び前記第２のプリンタのうちの前記第１のプリンタで実行させる第２の処理手順とを、有し、
出力すべき印刷ジョブの出力部数が１部である場合に、前記第１の処理手順及び第２の処理手順のうちの前記第１の処理手順を禁止し、前記第２の処理手順を実行可能にし、
出力すべき印刷ジョブの出力部数が１部でない場合に、前記第１の処理手順及び第２の処理手順のうちの前記第１の処理手順を実行可能にする、制御手段を有することを特徴とする画像形成システム。
【請求項２０】
第１のプリンタ及び第２のプリンタを有する画像形成システムであって、
印刷ジョブの出力動作を前記第１のプリンタ及び前記第２のプリンタの両方で実行させる第１の処理手順と、
印刷ジョブの出力動作を前記第１のプリンタ及び前記第２のプリンタのうちの前記第１のプリンタで実行させる第２の処理手順とを、有し、
出力すべき印刷ジョブの出力部数が１部である場合に、前記第１の処理手順及び第２の処理手順のうちの前記第１の処理手順を禁止し、前記第２の処理手順を実行可能にし、
出力すべき印刷ジョブの出力部数が１部でない場合に、前記第１の処理手順及び第２の処理手順のうちの前記第１の処理手順を実行可能にする、制御手段を有し、
前記制御手段は、
出力すべき印刷ジョブの出力部数が１部ではない場合で且つ偶数である場合に、前記第１の処理手順を実行可能にし、前記第１のプリンタで印刷させる出力部数と前記第２のプリンタで印刷させる出力部数とが同じになるように印刷動作を実行可能にし、
出力すべき印刷ジョブの出力部数が１部ではない場合で且つ奇数である場合に、前記第１の処理手順を実行可能にし、前記第１のプリンタで印刷させる出力部数が前記第２のプリンタで印刷させる出力部数よりも１部多くなるように印刷動作を実行可能にすることを特徴とする画像形成システム。
【請求項２１】
出力すべき印刷ジョブの出力部数が１部でない場合において、前記制御手段は、ユーザに対する警告表示を操作部に実行させると共に前記第２の処理手順を実行するか否かを前記操作部を介してユーザに問い合わせたうえで、前記第２の処理手順の実行指示が前記操作部を介して入力された場合に、前記第２の処理手順を実行させることを特徴とする請求項１９又は２０記載の画像形成システム。
【請求項２２】
前記第１の処理手順を実行する場合でも、前記第２の処理手順を実行させる場合でも、出力すべき印刷ジョブのデータが全てメモリに蓄積が完了したうえで、印刷動作を開始させることを特徴とする請求項１９乃至２１のいずれか１項に記載の画像形成システム。
【請求項２３】
前記第１のプリンタおよび前記第２のプリンタは、コピー機能及びプリンタ機能を含む複数の機能のうちの少なくとも何れかの機能を有することを特徴とする請求項１９乃至２２のいずれか１項に記載の画像形成システム。
【請求項２４】
前記第１のプリンタおよび前記第２のプリンタは、コピー機能及びプリンタ機能の少なくとも何れかの機能を有すると共に電子メール機能及びファクシミリ機能の何れかの機能を少なくとも有する複合機能のプリンタであることを特徴とする請求項１９乃至２３のいずれか１項に記載の画像形成システム。
【請求項２５】
第１のプリンタ及び第２のプリンタを有する画像形成システムに好適な画像形成方法であって、
印刷ジョブの出力動作を前記第１のプリンタ及び前記第２のプリンタの両方で実行させる第１の処理手順と、印刷ジョブの出力動作を前記第１のプリンタ及び前記第２のプリンタのうちの前記第１のプリンタで実行させる第２の処理手順と、のうちの、前記第１の処理手順を、出力すべき印刷ジョブの出力部数が１部でない場合に、実行可能にし、
出力すべき印刷ジョブの出力部数が１部である場合に、前記第１の処理手順及び第２の処理手順のうちの前記第１の処理手順を禁止し、前記第２の処理手順を実行可能にする、ことを特徴とする画像形成方法。
【請求項２６】
第１のプリンタ及び第２のプリンタを有する画像形成システムに好適な画像形成方法であって、
印刷ジョブの出力動作を前記第１のプリンタ及び前記第２のプリンタの両方で実行させる第１の処理手順と、印刷ジョブの出力動作を前記第１のプリンタ及び前記第２のプリンタのうちの前記第１のプリンタで実行させる第２の処理手順と、のうちの、前記第１の処理手順を、出力すべき印刷ジョブの出力部数が１部でない場合に、実行可能にし、
出力すべき印刷ジョブの出力部数が１部である場合に、前記第１の処理手順及び第２の処理手順のうちの前記第１の処理手順を禁止し、前記第２の処理手順を実行可能にし、
出力すべき印刷ジョブの出力部数が１部ではない場合で且つ偶数である場合に、前記第１の処理手順を実行可能にし、前記第１のプリンタで印刷させる出力部数と前記第２のプリンタで印刷させる出力部数とが同じになるように印刷動作を実行可能にし、
出力すべき印刷ジョブの出力部数が１部ではない場合で且つ奇数である場合に、前記第１の処理手順を実行可能にし、前記第１のプリンタで印刷させる出力部数が前記第２のプリンタで印刷させる出力部数よりも１部多くなるように印刷動作を実行可能にすることを特徴とする画像形成方法。
【請求項２７】
出力すべき印刷ジョブの出力部数が１部でない場合において、ユーザに対する警告表示を操作部に実行させると共に前記第２の処理手順を実行するか否かを前記操作部を介してユーザに問い合わせたうえで、前記第２の処理手順の実行指示が前記操作部を介して入力された場合に、前記第２の処理手順を実行させることを特徴とする請求項２５又は２６記載の画像形成方法。
【請求項２８】
前記第１の処理手順を実行する場合でも、前記第２の処理手順を実行させる場合でも、出力すべき印刷ジョブのデータが全てメモリに蓄積が完了したうえで、印刷動作を開始させることを特徴とする請求項２５乃至２７のいずれか１項に記載の画像形成方法。
【請求項２９】
前記第１のプリンタおよび前記第２のプリンタは、コピー機能及びプリンタ機能を含む複数の機能のうちの少なくとも何れかの機能を有することを特徴とする請求項２５乃至２８のいずれか１項に記載の画像形成方法。
【請求項３０】
前記第１のプリンタおよび前記第２のプリンタは、コピー機能及びプリンタ機能の少なくとも何れかの機能を有すると共に電子メール機能及びファクシミリ機能の何れかの機能を少なくとも有する複合機能のプリンタであることを特徴とする請求項２５乃至２９のいずれか１項に記載の画像形成方法。
【手続補正２】
【補正対象書類名】明細書
【補正対象項目名】０００７
【補正方法】変更
【補正の内容】
【０００７】
【課題を解決するための手段】
上記目的を達成するために、請求項１記載の出力部数振り分け方法は、原稿を読み取る画像読取り装置に直接接続されたローカルプリンタと、該画像読取り装置にネットワークを介して接続されたリモートプリンタとの間の出力部数振り分け方法において、前記ローカルプリンタと前記リモートプリンタに対して同時に印刷ジョブの投入を指示する指示ステップと、前記投入指示された印刷ジョブの部数を取得する取得ステップと、前記印刷ジョブの部数が奇数であるときは、前記ローカルプリンタと前記リモートプリンタ共に同数になるように前記印刷ジョブの部数を振り分け、さらに残りの１部を前記ローカルプリンタで出力するように振り分ける振り分けステップと、前記振り分けられた部数で前記ローカルプリンタ及びリモートプリンタに前記印刷ジョブを投入する投入ステップとを有することを特徴とする。


【手続補正３】
【補正対象書類名】明細書
【補正対象項目名】０００８
【補正方法】変更
【補正の内容】
【０００８】
請求項２記載の出力部数振り分け方法は、請求項１記載の出力部数振り分け方法において、前記取得された印刷ジョブの部数が１部であるときは、前記印刷ジョブの投入を中止することを特徴とする。


【手続補正４】
【補正対象書類名】明細書
【補正対象項目名】００１０
【補正方法】変更
【補正の内容】
【００１０】
請求項４記載の出力部数振り分け方法は、請求項１乃至３のいずれか１項に記載の出力部数振り分け方法において、前記投入ステップは、前記画像読取り装置により前記原稿を一枚づつ読み取りながら前記印刷ジョブを投入することを特徴とする。


【手続補正５】
【補正対象書類名】明細書
【補正対象項目名】００１１
【補正方法】変更
【補正の内容】
【００１１】
請求項５記載の出力部数振り分け方法は、請求項１乃至３のいずれか１項に記載の出力部数振り分け方法において、前記投入ステップは、前記画像読取り装置により前記原稿をすべて読込んだ後で前記印刷ジョブを投入することを特徴とする。


【手続補正６】
【補正対象書類名】明細書
【補正対象項目名】００１２
【補正方法】変更
【補正の内容】
【００１２】
上記目的を達成するために、請求項６記載の出力部数振り分け装置は、原稿を読み取る画像読取り装置に直接接続されたローカルプリンタと、該画像読取り装置にネットワークを介して接続されたリモートプリンタとの間の出力部数振り分け装置において、前記ローカルプリンタと前記リモートプリンタに対して同時に印刷ジョブの投入を指示する指示手段と、前記投入指示された印刷ジョブの部数を取得する取得手段と、前記印刷ジョブの部数が奇数であるときは、前記ローカルプリンタと前記リモートプリンタ共に同数になるように前記印刷ジョブの部数を振り分け、さらに残りの１部を前記ローカルプリンタで出力するように振り分ける振り分け手段と、前記振り分けられた部数で前記ローカルプリンタ及びリモートプリンタに前記印刷ジョブを投入する投入手段とを有することを特徴とする。


【手続補正７】
【補正対象書類名】明細書
【補正対象項目名】００１３
【補正方法】変更
【補正の内容】
【００１３】
請求項７記載の出力部数振り分け装置は、請求項６記載の出力部数振り分け装置において、前記取得された印刷ジョブの部数が１部であるときは、前記印刷ジョブの投入を中止することを特徴とする。


【手続補正８】
【補正対象書類名】明細書
【補正対象項目名】００１５
【補正方法】変更
【補正の内容】
【００１５】
請求項９記載の出力部数振り分け装置は、請求項５乃至７のいずれか１項に記載の出力部数振り分け装置において、前記投入手段は、前記画像読取り装置により前記原稿を一枚づつ読み取りながら前記印刷ジョブを投入することを特徴とする。


【手続補正９】
【補正対象書類名】明細書
【補正対象項目名】００１６
【補正方法】変更
【補正の内容】
【００１６】
請求項１０記載の出力部数振り分け装置は、請求項５乃至７のいずれか１項に記載の出力部数振り分け装置において、前記投入手段は、前記画像読取り装置により前記原稿をすべて読込んだ後で前記印刷ジョブを投入することを特徴とする。


【手続補正１０】
【補正対象書類名】明細書
【補正対象項目名】００２１
【補正方法】変更
【補正の内容】
【００２１】
請求項１５記載の画像形成方法は、請求項１４記載の画像形成方法において、前記制御ステップにより前記処理を無効にすることに応じて、その旨を表示する表示ステップを有することを特徴とする。


【手続補正１１】
【補正対象書類名】明細書
【補正対象項目名】００２３
【補正方法】変更
【補正の内容】
【００２３】
上記目的を達成するために、請求項１７記載の記憶媒体は、原稿を読み取る画像読取り装置に直接接続されたローカルプリンタと、該画像読取り装置にネットワークを介して接続されたリモートプリンタとの間の出力部数振り分け方法を実行するプログラムを記憶した読み出し可能な記憶媒体であって、前記出力部数振り分け方法は、前記ローカルプリンタと前記リモートプリンタに対して同時に印刷ジョブの投入を指示する指示ステップと、前記投入指示された印刷ジョブの部数を取得する取得ステップと、前記印刷ジョブの部数が奇数であるときは、前記ローカルプリンタと前記リモートプリンタ共に同数になるように前記印刷ジョブの部数を振り分け、さらに残りの１部を前記ローカルプリンタで出力するように振り分ける振り分けステップと、前記振り分けられた部数で、前記ローカルプリンタ及びリモートプリンタに前記印刷ジョブを投入する投入ステップとを有することを特徴とする。


【手続補正１２】
【補正対象書類名】明細書
【補正対象項目名】００２４
【補正方法】変更
【補正の内容】
【００２４】
上記目的を達成するために、請求項１８記載の記憶媒体は、通信媒体を介して他の画像形成装置と画像データを送受信可能な画像形成装置を含む画像形成システムの画像形成方法を実行するプログラムを記憶した読み出し可能な記憶媒体であって、前記画像形成システムの画像形成方法は、前記画像形成装置と前記他の画像形成装置を含む複数の画像形成装置を協働させた画像形成処理を実行させる指示を入力する指示入力ステップと、前記複数の画像形成装置により画像形成すべきジョブの出力部数に応じて前記画像形成処理を行うか否か判定する判定ステップと、前記判定ステップによる判定結果に応じて前記画像形成処理を無効にする制御ステップとを有することを特徴とする。
上記目的を達成するために、請求項１９記載の画像形成システムは、第１のプリンタ及び第２のプリンタを有する画像形成システムであって、印刷ジョブの出力動作を前記第１のプリンタ及び前記第２のプリンタの両方で実行させる第１の処理手順と、印刷ジョブの出力動作を前記第１のプリンタ及び前記第２のプリンタのうちの前記第１のプリンタで実行させる第２の処理手順とを有し、出力すべき印刷ジョブの出力部数が１部である場合に、前記第１の処理手順及び第２の処理手順のうちの前記第１の処理手順を禁止し、前記第２の処理手順を実行可能にし、出力すべき印刷ジョブの出力部数が１部でない場合に、前記第１の処理手順及び第２の処理手順のうちの前記第１の処理手順を実行可能にする、制御手段を有することを特徴とする。
上記目的を達成するために、請求項２０記載の画像形成システムは、第１のプリンタ及び第２のプリンタを有する画像形成システムであって、印刷ジョブの出力動作を前記第１のプリンタ及び前記第２のプリンタの両方で実行させる第１の処理手順と、印刷ジョブの出力動作を前記第１のプリンタ及び前記第２のプリンタのうちの前記第１のプリンタで実行させる第２の処理手順とを有し、出力すべき印刷ジョブの出力部数が１部である場合に、前記第１の処理手順及び第２の処理手順のうちの前記第１の処理手順を禁止し、前記第２の処理手順を実行可能にし、出力すべき印刷ジョブの出力部数が１部でない場合に、前記第１の処理手順及び第２の処理手順のうちの前記第１の処理手順を実行可能にする、制御手段を有し、前記制御手段は、出力すべき印刷ジョブの出力部数が１部ではない場合で且つ偶数である場合に、前記第１の処理手順を実行可能にし、前記第１のプリンタで印刷させる出力部数と前記第２のプリンタで印刷させる出力部数とが同じになるように印刷動作を実行可能にし、出力すべき印刷ジョブの出力部数が１部ではない場合で且つ奇数である場合に、前記第１の処理手順を実行可能にし、前記第１のプリンタで印刷させる出力部数が前記第２のプリンタで印刷させる出力部数よりも１部多くなるように印刷動作を実行可能にすることを特徴とする。
請求項２１記載の画像形成システムは、請求項１９又は２０記載の画像形成システムにおいて、出力すべき印刷ジョブの出力部数が１部でない場合において、前記制御手段は、ユーザに対する警告表示を操作部に実行させると共に前記第２の処理手順を実行するか否かを前記操作部を介してユーザに問い合わせたうえで、前記第２の処理手順の実行指示が前記操作部を介して入力された場合に、前記第２の処理手順を実行させることを特徴とする。
請求項２２記載の画像形成システムは、請求項１９乃至２１のいずれか１項に記載の画像形成システムにおいて、前記第１の処理手順を実行する場合でも、前記第２の処理手順を実行させる場合でも、出力すべき印刷ジョブのデータが全てメモリに蓄積が完了したうえで、印刷動作を開始させることを特徴とする。
請求項２３記載の画像形成システムは、請求項１９乃至２２のいずれか１項に記載の画像形成システムにおいて、前記第１のプリンタおよび前記第２のプリンタは、コピー機能及びプリンタ機能を含む複数の機能のうちの少なくとも何れかの機能を有することを特徴とする。
請求項２４記載の画像形成システムは、請求項１９乃至２３のいずれか１項に記載の画像形成システムにおいて、前記第１のプリンタおよび前記第２のプリンタは、コピー機能及びプリンタ機能の少なくとも何れかの機能を有すると共に電子メール機能及びファクシミリ機能の何れかの機能を少なくとも有する複合機能のプリンタであることを特徴とする。
上記目的を達成するために、請求項２５記載の画像形成方法は、第１のプリンタ及び第２のプリンタを有する画像形成システムに好適な画像形成方法であって、印刷ジョブの出力動作を前記第１のプリンタ及び前記第２のプリンタの両方で実行させる第１の処理手順と、印刷ジョブの出力動作を前記第１のプリンタ及び前記第２のプリンタのうちの前記第１のプリンタで実行させる第２の処理手順と、のうちの、前記第１の処理手順を、出力すべき印刷ジョブの出力部数が１部でない場合に、実行可能にし、出力すべき印刷ジョブの出力部数が１部である場合に、前記第１の処理手順及び第２の処理手順のうちの前記第１の処理手順を禁止し、前記第２の処理手順を実行可能にすることを特徴とする。
上記目的を達成するために、請求項２６記載の画像形成方法は、第１のプリンタ及び第２のプリンタを有する画像形成システムに好適な画像形成方法であって、印刷ジョブの出力動作を前記第１のプリンタ及び前記第２のプリンタの両方で実行させる第１の処理手順と、印刷ジョブの出力動作を前記第１のプリンタ及び前記第２のプリンタのうちの前記第１のプリンタで実行させる第２の処理手順と、のうちの、前記第１の処理手順を、出力すべき印刷ジョブの出力部数が１部でない場合に、実行可能にし、出力すべき印刷ジョブの出力部数が１部である場合に、前記第１の処理手順及び第２の処理手順のうちの前記第１の処理手順を禁止し、前記第２の処理手順を実行可能にし、出力すべき印刷ジョブの出力部数が１部ではない場合で且つ偶数である場合に、前記第１の処理手順を実行可能にし、前記第１のプリンタで印刷させる出力部数と前記第２のプリンタで印刷させる出力部数とが同じになるように印刷動作を実行可能にし、出力すべき印刷ジョブの出力部数が１部ではない場合で且つ奇数である場合に、前記第１の処理手順を実行可能にし、前記第１のプリンタで印刷させる出力部数が前記第２のプリンタで印刷させる出力部数よりも１部多くなるように印刷動作を実行可能にすることを特徴とする。
請求項２７記載の画像形成方法は、請求項２５又は２６記載の画像形成方法において、出力すべき印刷ジョブの出力部数が１部でない場合において、ユーザに対する警告表示を操作部に実行させると共に前記第２の処理手順を実行するか否かを前記操作部を介してユーザに問い合わせたうえで、前記第２の処理手順の実行指示が前記操作部を介して入力された場合に、前記第２の処理手順を実行させることを特徴とする。
請求項２８記載の画像形成方法は、請求項２５乃至２７のいずれか１項に記載の画像形成方法において、前記第１の処理手順を実行する場合でも、前記第２の処理手順を実行させる場合でも、出力すべき印刷ジョブのデータが全てメモリに蓄積が完了したうえで、印刷動作を開始させることを特徴とする。
請求項２９記載の画像形成方法は、請求項２５乃至２８のいずれか１項に記載の画像形成方法において、前記第１のプリンタおよび前記第２のプリンタは、コピー機能及びプリンタ機能を含む複数の機能のうちの少なくとも何れかの機能を有することを特徴とする。
請求項３０記載の画像形成方法は、請求項２５乃至２９のいずれか１項に記載の画像形成方法において、前記第１のプリンタおよび前記第２のプリンタは、コピー機能及びプリンタ機能の少なくとも何れかの機能を有すると共に電子メール機能及びファクシミリ機能の何れかの機能を少なくとも有する複合機能のプリンタであることを特徴とする。
【手続補正１３】
【補正対象書類名】明細書
【補正対象項目名】００３７
【補正方法】変更
【補正の内容】
【００３７】
次に、投入指示された印刷ジョブの部数Ｍを取得し、該取得された部数Ｍが１部か否かを判別し（ステップＳ３０２）、１部であるときは、表示装置２０３に警告メッセージ及び選択ボタン５０１（図５）を表示して（ステップＳ３０３）、ユーザに印刷ジョブを続行するか否かを（有効にするか否か）を選択させる（ステップＳ３０４）。ステップＳ３０４の選択の結果、ユーザがジョブの中止を選択した（無効にした）ときは（ステップＳ３０４でＮＯ）、本処理を終了する一方、ユーザがジョブの続行を選択した（有効とした）ときは、ローカルプリンタに対する出力を１部、リモートプリンタに対する出力はなしと決定し（ステップＳ３０５）、ステップＳ３０８に進む。


【手続補正１４】
【補正対象書類名】明細書
【補正対象項目名】００５０
【補正方法】変更
【補正の内容】
【００５０】
請求項１１記載の画像形成システム及び請求項１４記載の画像形成方法及び請求項１８記載の記憶媒体によれば、ユーザによる誤動作に対応できるようになる。
また、請求項１９〜３０記載の発明によれば、第１のプリンタと第２のプリンタを有する画像形成システムを用いて、印刷ジョブの出力終了までの時間を短縮することができると共に、ユーザによる誤操作を防止することができ、作業効率を向上させることができる。